(57)【要約】【課題】スプリング体を挟持体中へ隠し、露出されたスプリング体に髪が挟まれて引っ張られることを防ぐ無ピン隠しスプリング式ヘアクリップを提供する。【解決手段】無ピン隠しスプリング式ヘアクリップ１００は、２つの挟持体１及びスプリング体２を備える。挟持体１は、挟持部材１１と、挟持部材１１に接続された嵌合被覆部材１２とをそれぞれ含む。嵌合被覆部材１２を互いに係合させると、挟持体１が互いに組み合わされ、嵌合被覆部材１２の圧接軸線上にスプリング隠し空間１２２がそれぞれ設けられる。スプリング体２は、スプリング隠し空間１２２中に配置されて嵌合被覆部材１２により覆われ、挟持体１が両端に当接され、２つの挟持体１の挟持部材１１が常態下で閉じた状態か開いた状態にある。挟持体１は、挟持部材１１に延設された押圧部材１３を有する。【選択図】図１
0003183013.tif 000002
【実用新案登録請求の範囲】
【請求項１】
２つの挟持体及びスプリング体を備えた無ピン隠しスプリング式ヘアクリップであって、
前記挟持体は、挟持部材と、前記挟持部材に接続された嵌合被覆部材とをそれぞれ含み、前記嵌合被覆部材を互いに係合させると、前記挟持体が互いに組み合わされ、前記嵌合被覆部材の圧接軸線上にスプリング隠し空間がそれぞれ設けられ、
前記スプリング体は、前記スプリング隠し空間中に配置されて前記嵌合被覆部材により覆われるとともに、前記挟持体がその両端に当接され、
前記２つの挟持体の前記挟持部材が常態下で閉じた状態か開いた状態にあることを特徴とする無ピン隠しスプリング式ヘアクリップ。
【請求項２】
前記挟持体は、前記挟持部材に延設された押圧部材を有することを特徴とする請求項１に記載の無ピン隠しスプリング式ヘアクリップ。
【請求項３】
前記挟持体は、前記挟持部材に延設された係合部材を有することを特徴とする請求項１に記載の無ピン隠しスプリング式ヘアクリップ。
【請求項４】
前記嵌合被覆部材に係合されたカバー部材をさらに備えることを特徴とする請求項１に記載の無ピン隠しスプリング式ヘアクリップ。
【請求項５】
前記挟持部材の内面には、複数の歯部が設けられていることを特徴とする請求項１に記載の無ピン隠しスプリング式ヘアクリップ。
【請求項６】
前記挟持部材の内面には、軟性滑り止め部が設けられていることを特徴とする請求項１に記載の無ピン隠しスプリング式ヘアクリップ。
【請求項７】
前記嵌合被覆部材には、位置決め溝が設けられ、
前記位置決め溝には、前記スプリング体の両端が係合されることを特徴とする請求項１に記載の無ピン隠しスプリング式ヘアクリップ。
【請求項８】
前記挟持体の内面には、内凹部の位置拘束当接部が設けられていることを特徴とする請求項１に記載の無ピン隠しスプリング式ヘアクリップ。
【請求項９】
前記位置拘束当接部は、前記挟持部材に延設されていることを特徴とする請求項８に記載の無ピン隠しスプリング式ヘアクリップ。
【請求項１０】
前記位置拘束当接部は、前記嵌合被覆部材に延設されていることを特徴とする請求項８に記載の無ピン隠しスプリング式ヘアクリップ。
【考案の詳細な説明】
【技術分野】
【０００１】
本考案は、頭飾品に関し、特に、快適に使用することができる無ピン隠しスプリング式ヘアクリップに関する。
【背景技術】
【０００２】
髪は、古来女性の第二の顔とも呼ばれ、綺麗で美しい髪は女性を美しくして女性に自信を与えることができる。美を求めることは女性の天性であり、古来女性は各種頭飾品を利用して髪を固定したり飾ったりしており、近年、様々な頭飾品が次々と現れている。これらの頭飾品には、簪、弾性ヘアバンド、カチューシャ、ヘアクリップなどが含まれ、美感及び実用性を兼ね備えるように設計され、そのうち２つの挟持体からなるヘアクリップは、便利に使用できるため現代女性に最も人気がある。
【０００３】
市販されているヘアクリップには、様々な型式の物があるが、その構造には大きな変化は無い。図９に示すように、従来のピンスプリング露出式ヘアクリップ７００は、２つの挟持体７、スプリング体８及びピン９を含む。従来のピンスプリング露出式ヘアクリップ７００の組立て方式では、スプリング体８をピン９に嵌合させてピン９の両端部を挟持体７上に当接させ、挟持体７とスプリング体８とを組み合わせると、スプリング体８により挟持体７に挟持力が付与され、ピンスプリング露出式ヘアクリップ７００で髪を挟んで留めることができる。
【考案の概要】
【考案が解決しようとする課題】
【０００４】
しかし、従来のピンスプリング露出式ヘアクリップ７００のスプリング体８が外部に露出されると、ピンスプリング露出式ヘアクリップ７００の開閉過程において、髪がスプリング体８に触れて引っ掛かる上、見た目が損なわれる虞があり、従来のピンスプリング露出式ヘアクリップ７００にとって大きな欠点であった。また、ピン９は、２つの挟持体７とスプリング体８とを組み立てるのに重要な部品であるが、ピンスプリング露出式ヘアクリップ７００の開閉過程で外れたり、ピンスプリング露出式ヘアクリップ７００の構造が破壊されたりして効果が失われる虞があった。
そのため、本考案の目的は、スプリング体を挟持体中へ隠し、露出されたスプリング体に髪が挟まれて引っ張られることを防ぐ、無ピン隠しスプリング式ヘアクリップを提供することにある。
【課題を解決するための手段】
【０００５】
上記課題を解決するために、本考案の第１の形態によれば、２つの挟持体及びスプリング体を備えた無ピン隠しスプリング式ヘアクリップであって、前記挟持体は、挟持部材と、前記挟持部材に接続された嵌合被覆部材とをそれぞれ含み、前記嵌合被覆部材を互いに係合させると、前記挟持体が互いに組み合わされ、前記嵌合被覆部材の圧接軸線上にスプリング隠し空間がそれぞれ設けられ、前記スプリング体は、前記スプリング隠し空間中に配置されて前記嵌合被覆部材により覆われ、前記挟持体が両端に当接され、前記２つの挟持体の前記挟持部材が常態下で閉じた状態か開いた状態にあることを特徴とする無ピン隠しスプリング式ヘアクリップが提供される。
【０００６】
前記挟持体は、前記挟持部材に延設された押圧部材を有することが好ましい。
【０００７】
前記挟持体は、前記挟持部材に延設された係合部材を有することが好ましい。
【０００８】
前記嵌合被覆部材に係合されたカバー部材をさらに備えることが好ましい。
【０００９】
前記挟持部材の内面には、複数の歯部が設けられていることが好ましい。
【００１０】
前記挟持部材の内面には、軟性滑り止め部が設けられていることが好ましい。
【００１１】
前記嵌合被覆部材には、位置決め溝が設けられ、前記位置決め溝には、前記スプリング体の両端が係合されることが好ましい。
【００１２】
前記挟持体の内面には、内凹部の位置拘束当接部が設けられていることが好ましい。
【００１３】
前記位置拘束当接部は、前記挟持部材に延設されていることが好ましい。
【００１４】
前記位置拘束当接部は、前記嵌合被覆部材に延設されていることが好ましい。
【考案の効果】
【００１５】
本考案の無ピン隠しスプリング式ヘアクリップは、スプリング体を嵌合被覆部材中へ設置してスプリング体を隠すことにより、髪がスプリング体に触れることがないため、スプリング体により髪が引っ張られて髪が切れたり頭皮を痛めたりすることを防ぐことができる上、無ピン隠しスプリング式ヘアクリップの見た目を良くすることができる。さらに、２つの挟持体の嵌合被覆部材に２つの挟持体及びスプリング体を組み合わせることにより、堅固な構造にすることができる。
【図面の簡単な説明】
【００１６】
【図１】図１は、本考案の第１実施形態に係る無ピン隠しスプリング式ヘアクリップを示す分解斜視図である。
【図２】図２は、本考案の第１実施形態に係る無ピン隠しスプリング式ヘアクリップを示す斜視図である。
【図３】図３は、本考案の第１実施形態に係る無ピン隠しスプリング式ヘアクリップを示す部分断面図である。
【図４】図４は、本考案の第１実施形態に係る無ピン隠しスプリング式ヘアクリップを閉じたときの状態を示す側断面図である。
【図５】図５は、本考案の第１実施形態に係る無ピン隠しスプリング式ヘアクリップを開いたときの状態を示す側断面図である。
【図６】図６は、本考案の第２実施形態に係る無ピン隠しスプリング式ヘアクリップを示す側断面図である。
【図７】図７は、本考案の第３実施形態に係る無ピン隠しスプリング式ヘアクリップを示す側断面図である。
【図８】図８は、本考案の第４実施形態に係る無ピン隠しスプリング式ヘアクリップを示す側断面図である。
【図９】図９は、従来の無ピン隠しスプリング式ヘアクリップを示す斜視図である。
【考案を実施するための形態】
【００１７】
以下、本考案の実施形態について図に基づいて説明する。なお、これによって本考案が限定されるものではない。
【００１８】
（第１実施形態）
図１〜図３を参照する。図１は、本考案の第１実施形態に係る無ピン隠しスプリング式ヘアクリップを示す分解斜視図である。図２は、本考案の第１実施形態に係る無ピン隠しスプリング式ヘアクリップを示す斜視図である。図３は、本考案の第１実施形態に係る無ピン隠しスプリング式ヘアクリップを示す部分断面図である。図１〜図３に示すように、本考案の第１実施形態に係る無ピン隠しスプリング式ヘアクリップ１００は、少なくとも２つの挟持体１と、スプリング体２と、２つのカバー部材３とから構成される。
【００１９】
２つの挟持体１は、挟持部材１１、嵌合被覆部材１２、押圧部材１３及び位置拘束当接部１４をそれぞれ含む。挟持部材１１は、内凹部を有するとともに、複数の櫛歯１１１を含む。各櫛歯１１１は、内側に軟性滑り止め部１１２が形成され、凸部を有する。他の実施形態において、軟性滑り止め部は、平面でもよいし、凹溝を有する様々な形状でもよい。軟性滑り止め部１１２は、髪と挟持部材１１との間の摩擦抵抗を高めて無ピン隠しスプリング式ヘアクリップ１００を髪に強く留めるために用いる。他の実施形態において、軟性滑り止め部１１２は、櫛歯１１１を包むように先端に設けられ、櫛歯１１１の先端が軟性を有するため頭皮を傷つけることがない。第１実施形態の軟性滑り止め部１１２は、ポリウレタン（ＴＰＵ）からなるが、他の実施形態では、シリコーンゲル又はその他ポリマー材料からなってもよい。
【００２０】
２つの嵌合被覆部材１２は、２つの挟持体１の挟持部材１１にそれぞれ接続されるとともに、２つの挟持部材１１間に配置される。２つの嵌合被覆部材１２は、圧接部１２１ａ，１２１ｂをそれぞれ有する。２つの圧接部１２１ａ，１２１ｂは、雄雌関係で嵌合されて２つの挟持体１を互いに枢着させる。圧接部１２１ａは凸縁であり、圧接部１２１ｂは凹縁である。圧接部１２１ａは、圧接部１２１ｂに対応するように嵌合される。２つの嵌合被覆部材１２は、スプリング隠し空間１２２、スリット溝１２３、２つの位置決め溝１２４及び２つの位置拘束当接部１４を有する。スプリング隠し空間１２２は、嵌合被覆部材１２の圧接軸線Ａ上に位置する。スリット溝１２３は、圧接軸線Ａに沿って延び、２つの嵌合被覆部材１２の内壁に形成される。２つの位置決め溝１２４は、圧接部１２１ａ，１２１ｂの反対側の嵌合被覆部材１２の側部に設けられる。２つの押圧部材１３は、２つの挟持部材１１から延びて外方へ曲げられる。２つの位置拘束当接部１４は、２つの嵌合被覆部材１２の角にそれぞれ形成される。
【００２１】
スプリング体２は、スプリング隠し空間１２２中に設置され、嵌合被覆部材１２により覆われる。スプリング体２の２つの端部２１，２２は、外方へ折り曲げられて突設されるとともに、２つの位置決め溝１２４にそれぞれ当接される。カバー部材３は、六角柱状を呈し、嵌合被覆部材１２の一端に係合される。カバー部材３は、環状凸部３１を有し、嵌合被覆部材１２へ緊密に係合される。他の実施形態において、カバー部材３は、円柱状又は三角柱状など他の形状からなってもよい。
【００２２】
図４を参照する。図４に示すように、常態下で２つの挟持体１は、スプリング体２の弾性回復力により閉じられる。２つの押圧部材１３は、分離して独立した状態であり、２つの挟持部材１１は、位置拘束当接部１４により２つの挟持部材１１が閉じるときの最小角度Ｓを制限するために用いられる。図５を参照する。図５に示すように、２つの押圧部材１３を互いに近づけると、嵌合被覆部材１２の回転により２つの挟持部材１１が開いた状態となり、押圧部材１３が押されて挟持部材１１が開いたときの最大角度Ｌが制限される。
【００２３】
実際に組み立てる際、２つの嵌合被覆部材１２を互いに嵌合させて２つの挟持体１を接合させ、スプリング体２の一端をスリット溝１２３に沿ってスプリング隠し空間１２２中へ入れた後、スプリング体２の螺旋方向に沿ってスプリング体２の両端部２１，２２を所定角度で捩じって２つの位置決め溝１２４へ配置し（これにより２つの端部２１，２２が２つの位置決め溝１２４へ当接されてスプリング体２に反作用力が発生し、２つの挟持体１が閉じられる）、カバー部材３を嵌合被覆部材１２へ緊密に嵌合させてスプリング体２を隠す。
【００２４】
第１実施形態の嵌合被覆部材１２及びカバー部材３は、スプリング体２を完全に隠すことができるため、スプリング体２により髪が引っ張られることを防いで、無ピン隠しスプリング式ヘアクリップ１００全体の見た目を良くすることができる。勿論、本考案はこれだけに限定されるわけではなく、他の実施形態の無ピン隠しスプリング式ヘアクリップでは、嵌合被覆部材１２及びカバー部材３によりスプリング体２を隠し、安全性を高めて見た目を良くしたり、櫛歯１１１により無ピン隠しスプリング式ヘアクリップ１００を強く髪へ留めてもよい。
【００２５】
（第２実施形態）
図６を参照する。図６は、本考案の第２実施形態に係る無ピン隠しスプリング式ヘアクリップを示す側断面図である。図６に示すように、本考案の第２実施形態に係る無ピン隠しスプリング式ヘアクリップ１００ａの構造は、第１実施形態の無ピン隠しスプリング式ヘアクリップ１００と略同じであり、同じ部分についてはここでは詳述しない。第２実施形態に係る無ピン隠しスプリング式ヘアクリップ１００ａは、２つの挟持体１ａ，１ｂの外形が異なり、挟持体１ａが挟持体１ｂより長い上、挟持体１ａが挟持体１ｂに向けて突設され、一部が挟持体１ｂを覆う点で第１実施形態の無ピン隠しスプリング式ヘアクリップ１００と異なる（第１の相違点）。そのため、無ピン隠しスプリング式ヘアクリップ１００ｂは、髪が多い場合でも挟持することができる。第２の相違点は、挟持体１ａが軟性滑り止め部を備えずに歯部１１３だけを備え、歯部１１３と挟持体１ｂの軟性滑り止め部１１２ａの凸部が間隔をおいて設置され、無ピン隠しスプリング式ヘアクリップ１００ａにより髪を強く挟んで留める。第３の相違点は、位置拘束当接部１４に延設された２つの挟持部材１１ａ，１１ｂが閉じられると互いに組み合わされる点である。勿論、第２実施形態の無ピン隠しスプリング式ヘアクリップ１００ａと第１実施形態の無ピン隠しスプリング式ヘアクリップ１００との相違点は、４つ又はそれ以上でもよい。
【００２６】
（第３実施形態）
図７を参照する。図７は、本考案の第３実施形態に係る無ピン隠しスプリング式ヘアクリップを示す側断面図である。図７に示すように、本考案の第３実施形態に係る無ピン隠しスプリング式ヘアクリップ１００ｂの構造は、第２実施形態に係る無ピン隠しスプリング式ヘアクリップ１００ａと略同じであり、同じ部分についてはここでは詳述しない。第１の相違点は、無ピン隠しスプリング式ヘアクリップ１００ｂが２つの係合部材１５を有し、押圧部材を備えず、２つの係合部材１５を互いに係合させると２つの挟持体１が閉じられる点にある。第２の相違点は、スプリング体の両端部２１，２２がスプリング体の回転方向に対して反対の方向で、所定角度捩じられて２つの位置決め溝に配置されるため、係合部材１５が係合されていないとき、２つの挟持体１は、スプリング体の弾性回復力により開いた状態となる。第３の相違点は、２つの挟持体１が歯部１１３ａと軟性滑り止め部１１２ｂとが当接されるため、位置拘束当接部を設ける必要がない点である。勿論、第３実施形態の無ピン隠しスプリング式ヘアクリップ１００ｂと第２実施形態の無ピン隠しスプリング式ヘアクリップ１００ａとの相違点は、４つ又はそれ以上でもよい。
【００２７】
（第４実施形態）
図８を参照する。図８は、本考案の第４実施形態に係る無ピン隠しスプリング式ヘアクリップを示す側断面図である。図８に示すように、本考案の第４実施形態に係る無ピン隠しスプリング式ヘアクリップ１００ｃの構造は、第２実施形態の無ピン隠しスプリング式ヘアクリップ１００ａと略同じであり、同じ部分についてはここでは詳述せず、相違点は、２つの挟持部材１１が軟性滑り止め部１１２を有する点である。２つの挟持体１は、軟性滑り止め部１１２により当接されるため、位置拘束当接部を設ける必要がない点である。
【００２８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２９】
１  挟持体
１ａ  挟持体
１ｂ  挟持体                     
２  スプリング体
３  カバー部材
７  挟持体
８  スプリング体
９  ピン
１１  挟持部材
１１ａ  挟持部材
１１ｂ  挟持部材
１２  嵌合被覆部材
１３  押圧部材
１４  位置拘束当接部
１５  係合部材
２１  端部
２２  端部
３１  環状凸部
１００  無ピン隠しスプリング式ヘアクリップ
１００ａ  無ピン隠しスプリング式ヘアクリップ
１００ｂ  無ピン隠しスプリング式ヘアクリップ
１００ｃ  無ピン隠しスプリング式ヘアクリップ
１１１  櫛歯
１１２  軟性滑り止め部
１１２ａ  軟性滑り止め部
１１２ｂ  軟性滑り止め部
１１３  歯部
１１３ｂ  歯部
１２１ａ  圧接部
１２１ｂ  圧接部
１２２  スプリング隠し空間
１２３  スリット溝
１２４  位置決め溝
７００  露出式ピンスプリングヘアクリップ
Ａ  圧接軸線
Ｌ  最大角度
Ｓ  最小角度
【図１】
0003183013.tif 000003
【図２】
0003183013.tif 000004
【図３】
0003183013.tif 000005
【図４】
0003183013.tif 000006
【図５】
0003183013.tif 000007
【図６】
0003183013.tif 000008
【図７】
0003183013.tif 000009
【図８】
0003183013.tif 000010
【図９】
0003183013.tif 000011